(57)【要約】【課題】携帯端末にコンサートなどのチケットを登録し、該チケットに係わるイベントの開催日時と開催場所の情報から、開催時刻に間に合うように携帯端末所有者のスケジュール管理を行うと共に、携帯端末の現在位置情報から開催場所までのルート案内を行う。【解決手段】ネットワークに接続してチケットを購入すると共に購入したチケットを記憶・保存する携帯端末と、前記ネットワークに接続されチケットを販売するチケット販売センターサーバーと、から構成されるチケット販売システムであって、前記携帯端末は、購入したチケットに付加されている開催日時と開催場所の情報から、該チケットに係わるイベントの開催時刻に間に合うように、アラーム発令を行うアラーム発動手段と、前記携帯端末の現在位置から前記開催場所までのルート検索及び当該ルートでの所要時間を算出するルート検索手段と、を備える。【選択図】      図１
2005056166.tif 000002
【特許請求の範囲】
【請求項１】
移動体通信網やインターネットなどから構成されるネットワークと、前記ネットワークに接続してチケットを購入すると共に購入したチケットを記憶・保存する携帯端末と、前記ネットワークに接続され、コンサートや催し物或いは列車や航空機などのチケットを販売するチケット販売センターサーバーと、から構成されるチケット販売システムであって、
前記携帯端末は、購入したチケットに付加されている開催日時と開催場所の情報から、該チケットに係わるイベントの開催時刻に間に合うように、アラーム発令を行うアラーム発動手段と、前記携帯端末の現在位置から前記開催場所までのルート検索及び当該ルートでの所要時間を算出するルート検索手段と、を備えることを特徴とするチケット販売システム。
【請求項２】
前記アラーム発動手段は、予め定められた定期的時間になると前記ルート検索手段を起動して、前記携帯端末の現在位置から前記開催場所までのルート検索及び当該ルートでの所要時間を算出させ、前記所要時間と現在時刻から前記開催時刻までの余裕時間を算出し、前記余裕時間が少ないと判断される場合に、アラーム音或いは振動などによりアラーム発令を行う、ことを特徴とする請求項１に記載のチケット販売システム。
【請求項３】
前記ルート検索手段は、前記携帯端末が別途備える位置情報取得手段から前記携帯端末の現在位置の情報を取得し、前記現在位置から前記開催場所までのルートを別途備える地図情報データベースを検索して算出し、当該ルートでの所要時間を算出し、前記ルート検索手段が前記アラーム発動手段から起動されたものである場合には、前記所要時間と現在時刻から前記開催時刻までの余裕時間を算出し、前記余裕時間が少ないと判断される場合に、前記ルート及び前記所要時間を前記携帯端末が別途備える表示装置に表示する、ことを特徴とする請求項２に記載のチケット販売システム。
【請求項４】
前記ルート検索手段は、前記携帯端末が別途備える操作部からの指示によっても起動され、前記ルート検索手段が前記操作部からの指示によって起動された場合には、前記携帯端末が別途備える位置情報取得手段から前記携帯端末の現在位置の情報を取得し、前記現在位置から前記開催場所までのルートを別途備える地図情報データベースを検索して算出し、当該ルートでの所要時間を算出し、前記ルート及び前記所要時間を前記携帯端末が別途備える表示装置に表示する、ことを特徴とする請求項１に記載のチケット販売システム。
【請求項５】
移動体通信網やインターネットなどから構成されるネットワークと、前記ネットワークに接続してチケットを購入すると共に購入したチケットを記憶・保存する携帯端末と、前記ネットワークに接続され、コンサートや催し物或いは列車や航空機などのチケットを販売するチケット販売センターサーバーと、前記ネットワークに接続され、前記携帯端末からの依頼により出発地点から目的地点までのルート検索及び当該ルートでの所要時間を算出する移動方法検索サービスサーバーと、から構成されるチケット販売システムであって、
前記携帯端末は、購入したチケットに付加されている開催日時と開催場所の情報から、該チケットに係わるイベントの開催時刻に間に合うように、アラーム発令を行うアラーム発動手段と、前記携帯端末の現在位置から前記開催場所までのルート検索及び当該ルートでの所要時間の算出を、前記移動方法検索サービスサーバーに依頼するルート検索依頼手段と、を備えることを特徴とするチケット販売システム。
【請求項６】
移動体通信網やインターネットなどから構成されるネットワークと、前記ネットワークに接続してチケットを購入すると共に購入したチケットを記憶・保存する携帯端末と、前記ネットワークに接続され、コンサートや催し物或いは列車や航空機などのチケットを販売するチケット販売センターサーバーと、から構成されるチケット販売システムにおけるチケット販売方法であって、
前記チケット販売センターサーバーは、前記携帯端末からのチケット購入要求に対して該当チケットに開催日時と開催場所の情報を付加して該当チケットを前記携帯端末に送信するステップを実行し、
前記携帯端末は、購入したチケットに付加されている開催日時と開催場所の情報から、該チケットに係わるイベントの開催時刻に間に合うように、アラーム発令を行うアラーム発動ステップと、前記携帯端末の現在位置から前記開催場所までのルート検索及び当該ルートでの所要時間を算出するルート検索ステップと、を実行することを特徴とするチケット販売方法。
【請求項７】
前記アラーム発動ステップにおいては、予め定められた定期的時間になると前記ルート検索ステップを実行させて、前記携帯端末の現在位置から前記開催場所までのルート検索及び当該ルートでの所要時間を算出させ、前記所要時間と現在時刻から前記開催時刻までの余裕時間を算出し、前記余裕時間が少ないと判断される場合に、アラーム音或いは振動などによりアラーム発令を行う、ことを特徴とする請求項６に記載のチケット販売方法。
【請求項８】
前記ルート検索ステップにおいては、前記携帯端末が別途備える位置情報取得手段から前記携帯端末の現在位置の情報を取得し、前記現在位置から前記開催場所までのルートを別途備える地図情報データベースを検索して算出し、当該ルートでの所要時間を算出し、前記ルート検索ステップが前記アラーム発動ステップによって起動されたものである場合には、前記所要時間と現在時刻から前記開催時刻までの余裕時間を算出し、前記余裕時間が少ないと判断される場合に、前記ルート及び前記所要時間を前記携帯端末が別途備える表示装置に表示する、ことを特徴とする請求項７に記載のチケット販売方法。
【請求項９】
前記ルート検索ステップは、前記携帯端末が別途備える操作部からの指示によっても起動され、前記ルート検索ステップが前記操作部からの指示によって起動された場合には、前記携帯端末が別途備える位置情報取得手段から前記携帯端末の現在位置の情報を取得し、前記現在位置から前記開催場所までのルートを別途備える地図情報データベースを検索して算出し、当該ルートでの所要時間を算出し、前記ルート及び前記所要時間を前記携帯端末が別途備える表示装置に表示する、ことを特徴とする請求項６に記載のチケット販売方法。
【請求項１０】
移動体通信網やインターネットなどから構成されるネットワークと、前記ネットワークに接続してチケットを購入すると共に購入したチケットを記憶・保存する携帯端末と、前記ネットワークに接続され、コンサートや催し物或いは列車や航空機などのチケットを販売するチケット販売センターサーバーと、前記ネットワークに接続され、前記携帯端末からの依頼により出発地点から目的地点までのルート検索及び当該ルートでの所要時間を算出する移動方法検索サービスサーバーと、から構成されるチケット販売システムにおけるチケット販売方法であって、
前記チケット販売センターサーバーは、前記携帯端末からのチケット購入要求に対して該当チケットに開催日時と開催場所の情報を付加して該当チケットを前記携帯端末に送信するステップを実行し、
前記携帯端末は、購入したチケットに付加されている開催日時と開催場所の情報から、該チケットに係わるイベントの開催時刻に間に合うように、アラーム発令を行うアラーム発動ステップと、前記携帯端末の現在位置から前記開催場所までのルート検索及び当該ルートでの所要時間の算出を、前記移動方法検索サービスサーバーに依頼するルート検索依頼ステップと、を実行することを特徴とするチケット販売システム。
【請求項１１】
移動体通信網を介してインターネットに接続し、前記インターネットに接続されるチケット販売センターサーバーからチケットを購入すると共に購入したチケットを記憶・保存する携帯端末であって、
前記携帯端末は、インターネットに接続して前記チケット販売センターサーバーからチケットを購入すると共に購入したチケットを記憶・保存するインターネット接続手段と、自携帯端末の現在位置の情報を取得する位置情報取得手段と、購入したチケットに付加されている開催日時と開催場所の情報から、該チケットに係わるイベントの開催時刻に間に合うように、アラーム発令を行うアラーム発動手段と、前記位置情報取得手段が取得した自携帯端末の現在位置から前記開催場所までのルート検索及び当該ルートでの所要時間を算出するルート検索手段と、を備えることを特徴とする携帯端末。
【請求項１２】
前記アラーム発動手段は、予め定められた定期的時間になると前記ルート検索手段を起動して、前記位置情報取得手段が取得した自携帯端末の現在位置から前記開催場所までのルート検索及び当該ルートでの所要時間を算出させ、前記所要時間と現在時刻から前記開催時刻までの余裕時間を算出し、前記余裕時間が少ないと判断される場合に、アラーム音或いは振動などによりアラーム発令を行う、ことを特徴とする請求項１１に記載の携帯端末。
【請求項１３】
前記ルート検索手段は、前記位置情報取得手段から自携帯端末の現在位置の情報を取得し、前記現在位置から前記開催場所までのルートを別途備える地図情報データベースを検索して算出し、当該ルートでの所要時間を算出し、前記ルート検索手段が前記アラーム発動手段から起動されたものである場合には、前記所要時間と現在時刻から前記開催時刻までの余裕時間を算出し、前記余裕時間が少ないと判断される場合に、前記ルート及び前記所要時間を自携帯端末が別途備える表示装置に表示する、ことを特徴とする請求項１２に記載の携帯端末。
【請求項１４】
前記ルート検索手段は、自携帯端末が別途備える操作部からの指示によっても起動され、前記ルート検索手段が前記操作部からの指示によって起動された場合には、前記位置情報取得手段から自携帯端末の現在位置の情報を取得し、前記現在位置から前記開催場所までのルートを別途備える地図情報データベースを検索して算出し、当該ルートでの所要時間を算出し、前記ルート及び前記所要時間を自携帯端末が別途備える表示装置に表示する、ことを特徴とする請求項１１に記載の携帯端末。
【請求項１５】
移動体通信網を介してインターネットに接続し、前記インターネットに接続されるチケット販売センターサーバーからチケットを購入すると共に購入したチケットを記憶・保存する携帯端末であって、
前記携帯端末は、インターネットに接続して前記チケット販売センターサーバーからチケットを購入すると共に購入したチケットを記憶・保存するインターネット接続手段と、自携帯端末の現在位置の情報を取得する位置情報取得手段と、購入したチケットに付加されている開催日時と開催場所の情報から、該チケットに係わるイベントの開催時刻に間に合うように、アラーム発令を行うアラーム発動手段と、前記位置情報取得手段が取得した自携帯端末の現在位置から前記開催場所までのルート検索及び当該ルートでの所要時間の算出を、前記インターネットに接続される移動方法検索サービスサーバーに依頼するルート検索依頼手段と、を備えることを特徴とする携帯端末。
【請求項１６】
移動体通信網を介してインターネットに接続し、前記インターネットに接続されるチケット販売センターサーバーからチケットを購入すると共に購入したチケットを記憶・保存する携帯端末のコンピュータに、
インターネットに接続して前記チケット販売センターサーバーからチケットを購入すると共に購入したチケットを記憶・保存するインターネット接続処理と、自携帯端末の現在位置の情報を取得する位置情報取得処理と、購入したチケットに付加されている開催日時と開催場所の情報から、該チケットに係わるイベントの開催時刻に間に合うように、アラーム発令を行うアラーム発動処理と、前記位置情報取得処理で取得した自携帯端末の現在位置から前記開催場所までのルート検索及び当該ルートでの所要時間を算出するルート検索処理と、を実行させることを特徴とするプログラム。
【請求項１７】
前記アラーム発動処理においては、予め定められた定期的時間になると前記ルート検索処理を起動して、前記位置情報取得処理で取得した自携帯端末の現在位置から前記開催場所までのルート検索及び当該ルートでの所要時間を算出させ、前記所要時間と現在時刻から前記開催時刻までの余裕時間を算出し、前記余裕時間が少ないと判断される場合に、アラーム音或いは振動などによりアラーム発令を行う処理を、実行させることを特徴とする請求項１６に記載のプログラム。
【請求項１８】
前記ルート検索処理においては、前記位置情報取得処理で取得した自携帯端末の現在位置の情報を取得し、前記現在位置から前記開催場所までのルートを別途備える地図情報データベースを検索して算出し、当該ルートでの所要時間を算出し、前記ルート検索処理が前記アラーム発動処理から起動されたものである場合には、前記所要時間と現在時刻から前記開催時刻までの余裕時間を算出し、前記余裕時間が少ないと判断される場合に、前記ルート及び前記所要時間を自携帯端末が別途備える表示装置に表示する処理を、実行させることを特徴とする請求項１７に記載のプログラム。
【請求項１９】
前記ルート検索処理は、自携帯端末が別途備える操作部からの指示によっても起動され、前記ルート検索処理が前記操作部からの指示によって起動された場合には、前記位置情報取得処理で取得した自携帯端末の現在位置の情報を取得し、前記現在位置から前記開催場所までのルートを別途備える地図情報データベースを検索して算出し、当該ルートでの所要時間を算出し、前記ルート及び前記所要時間を自携帯端末が別途備える表示装置に表示する処理を、実行させることを特徴とする請求項１６に記載のプログラム。
【請求項２０】
移動体通信網を介してインターネットに接続し、前記インターネットに接続されるチケット販売センターサーバーからチケットを購入すると共に購入したチケットを記憶・保存する携帯端末のコンピュータに、
インターネットに接続して前記チケット販売センターサーバーからチケットを購入すると共に購入したチケットを記憶・保存するインターネット接続処理と、自携帯端末の現在位置の情報を取得する位置情報取得処理と、購入したチケットに付加されている開催日時と開催場所の情報から、該チケットに係わるイベントの開催時刻に間に合うように、アラーム発令を行うアラーム発動処理と、前記位置情報取得処理で取得した自携帯端末の現在位置から前記開催場所までのルート検索及び当該ルートでの所要時間の算出を、前記インターネットに接続される移動方法検索サービスサーバーに依頼するルート検索依頼処理と、を実行させることを特徴とするプログラム。
【発明の詳細な説明】
【技術分野】
【０００１】
本発明はチケット販売システムとその方法及びそれに用いる携帯端末とそのプログラムに関し、特に、携帯端末にコンサートなどのチケットを登録し、該チケットの開催日時と開催場所の情報から、開催時刻に間に合うようにスケジュール管理を行うと共に、開催場所までのルート案内を行うことを可能とする、チケット販売システムとその方法及びそれに用いる携帯端末とそのプログラムに関する。
【背景技術】
【０００２】
携帯電話やＰＨＳ（Personal Handyphone System：パーソナルハンディホンシステム）端末、或いは、ＰＤＡ（Personal Digital Assistance ：携帯情報端末）などの携帯端末の急速な進展に伴い、携帯端末内に、コンサートなどのイベントのチケットを購入して登録し、イベント会場への入場時には、携帯端末内に登録されているチケットを照合して、入場確認を行う、といったシステムが提案されるようになってきている（例えば、特許文献１参照。）。
【０００３】
上述した特許文献１に記載の「オンラインチケットの配布ならびに入場確認方法、およびその管理サーバシステム」では、管理サーバが、あらかじめ個人情報が登録された利用者からのチケット予約に従い、利用者にチケットＩＤを配布してそのチケットを得る権利を譲渡し、イベント当日、利用者からそのチケットＩＤと当該利用者の個人情報を受信し、照合することによって利用者が所持する携帯端末装置にチケット画面表示を行う。そして、イベント会場への入場時、チケット画面の一部に割り付けられ表示される入場確認釦の操作が行われたことを検出し、チケット画面表示を消去してその利用者の入場確認を行う。このようにして、チケットを直接販売することなく、入場確認を含むチケット管理を容易化するようにしている。
【０００４】
また、利用者が予約したイベント会場から離れた場所にいる場合には、参加時刻に遅れないように、携帯無線端末の利用者に当該利用者が予約したイベントに係わる情報を通報する際に、当該携帯無線端末の位置情報を考慮して、通報開始時刻を設定するようにしているものもある（例えば、特許文献２参照。）。
【０００５】
【特許文献１】特開２００２−２６９２８０号公報（第４−５頁、図１−５）
【０００６】
【特許文献２】特開２００２−２０９２５６号公報（第３−４頁、図１−４）
【発明の開示】
【発明が解決しようとする課題】
【０００７】
上述した従来のチケットの販売方法においては、携帯端末にチケットを格納するものではあるが、該チケットに係わるイベントの開催場所（例えば、住所や最寄駅など）の情報や、開催日時の情報を付加して販売はしていない。そのため、チケット購入者が、自身で開催場所への移動方法を検索したりする必要があり、また、開催時刻に間に合うように出発するためには、チケット購入者が事前に移動に係わる時間を、各自が検索して出発時間を決めるなどといったことが必要とされていた。
【０００８】
本発明は上述した事情を改善するために成されたものであり、従って本発明の目的は、携帯端末にコンサートなどのチケットを登録し、該チケットに係わるイベントの開催日時と開催場所の情報から、開催時刻に間に合うように携帯端末所有者のスケジュール管理を行うと共に、携帯端末の現在位置情報から開催場所までのルート案内を行うことを可能とする、チケット販売システムとその方法及びそれに用いる携帯端末とそのプログラムを提供することにある。
【課題を解決するための手段】
【０００９】
本発明のチケット販売システムは、移動体通信網やインターネットなどから構成されるネットワークと、前記ネットワークに接続してチケットを購入すると共に購入したチケットを記憶・保存する携帯端末と、前記ネットワークに接続され、コンサートや催し物或いは列車や航空機などのチケットを販売するチケット販売センターサーバーと、から構成されるチケット販売システムであって、
前記携帯端末は、購入したチケットに付加されている開催日時と開催場所の情報から、該チケットに係わるイベントの開催時刻に間に合うように、アラーム発令を行うアラーム発動手段と、前記携帯端末の現在位置から前記開催場所までのルート検索及び当該ルートでの所要時間を算出するルート検索手段と、を備えることを特徴とする。
【００１０】
また、前記アラーム発動手段は、予め定められた定期的時間になると前記ルート検索手段を起動して、前記携帯端末の現在位置から前記開催場所までのルート検索及び当該ルートでの所要時間を算出させ、前記所要時間と現在時刻から前記開催時刻までの余裕時間を算出し、前記余裕時間が少ないと判断される場合に、アラーム音或いは振動などによりアラーム発令を行う、ことを特徴とする。
【００１１】
さらに、前記ルート検索手段は、前記携帯端末が別途備える位置情報取得手段から前記携帯端末の現在位置の情報を取得し、前記現在位置から前記開催場所までのルートを別途備える地図情報データベースを検索して算出し、当該ルートでの所要時間を算出し、前記ルート検索手段が前記アラーム発動手段から起動されたものである場合には、前記所要時間と現在時刻から前記開催時刻までの余裕時間を算出し、前記余裕時間が少ないと判断される場合に、前記ルート及び前記所要時間を前記携帯端末が別途備える表示装置に表示する、ことを特徴とする。
【００１２】
また、前記ルート検索手段は、前記携帯端末が別途備える操作部からの指示によっても起動され、前記ルート検索手段が前記操作部からの指示によって起動された場合には、前記携帯端末が別途備える位置情報取得手段から前記携帯端末の現在位置の情報を取得し、前記現在位置から前記開催場所までのルートを別途備える地図情報データベースを検索して算出し、当該ルートでの所要時間を算出し、前記ルート及び前記所要時間を前記携帯端末が別途備える表示装置に表示する、ことを特徴とする。
【００１３】
さらに、移動体通信網やインターネットなどから構成されるネットワークと、前記ネットワークに接続してチケットを購入すると共に購入したチケットを記憶・保存する携帯端末と、前記ネットワークに接続され、コンサートや催し物或いは列車や航空機などのチケットを販売するチケット販売センターサーバーと、前記ネットワークに接続され、前記携帯端末からの依頼により出発地点から目的地点までのルート検索及び当該ルートでの所要時間を算出する移動方法検索サービスサーバーと、から構成されるチケット販売システムであって、
前記携帯端末は、購入したチケットに付加されている開催日時と開催場所の情報から、該チケットに係わるイベントの開催時刻に間に合うように、アラーム発令を行うアラーム発動手段と、前記携帯端末の現在位置から前記開催場所までのルート検索及び当該ルートでの所要時間の算出を、前記移動方法検索サービスサーバーに依頼するルート検索依頼手段と、を備えることを特徴とする。
【００１４】
本発明のチケット販売方法は、移動体通信網やインターネットなどから構成されるネットワークと、前記ネットワークに接続してチケットを購入すると共に購入したチケットを記憶・保存する携帯端末と、前記ネットワークに接続され、コンサートや催し物或いは列車や航空機などのチケットを販売するチケット販売センターサーバーと、から構成されるチケット販売システムにおけるチケット販売方法であって、
前記チケット販売センターサーバーは、前記携帯端末からのチケット購入要求に対して該当チケットに開催日時と開催場所の情報を付加して該当チケットを前記携帯端末に送信するステップを実行し、
前記携帯端末は、購入したチケットに付加されている開催日時と開催場所の情報から、該チケットに係わるイベントの開催時刻に間に合うように、アラーム発令を行うアラーム発動ステップと、前記携帯端末の現在位置から前記開催場所までのルート検索及び当該ルートでの所要時間を算出するルート検索ステップと、を実行することを特徴とする。
【００１５】
また、前記アラーム発動ステップにおいては、予め定められた定期的時間になると前記ルート検索ステップを実行させて、前記携帯端末の現在位置から前記開催場所までのルート検索及び当該ルートでの所要時間を算出させ、前記所要時間と現在時刻から前記開催時刻までの余裕時間を算出し、前記余裕時間が少ないと判断される場合に、アラーム音或いは振動などによりアラーム発令を行う、ことを特徴とする。
【００１６】
さらに、前記ルート検索ステップにおいては、前記携帯端末が別途備える位置情報取得手段から前記携帯端末の現在位置の情報を取得し、前記現在位置から前記開催場所までのルートを別途備える地図情報データベースを検索して算出し、当該ルートでの所要時間を算出し、前記ルート検索ステップが前記アラーム発動ステップによって起動されたものである場合には、前記所要時間と現在時刻から前記開催時刻までの余裕時間を算出し、前記余裕時間が少ないと判断される場合に、前記ルート及び前記所要時間を前記携帯端末が別途備える表示装置に表示する、ことを特徴とする。
【００１７】
また、前記ルート検索ステップは、前記携帯端末が別途備える操作部からの指示によっても起動され、前記ルート検索ステップが前記操作部からの指示によって起動された場合には、前記携帯端末が別途備える位置情報取得手段から前記携帯端末の現在位置の情報を取得し、前記現在位置から前記開催場所までのルートを別途備える地図情報データベースを検索して算出し、当該ルートでの所要時間を算出し、前記ルート及び前記所要時間を前記携帯端末が別途備える表示装置に表示する、ことを特徴とする。
【００１８】
さらに、移動体通信網やインターネットなどから構成されるネットワークと、前記ネットワークに接続してチケットを購入すると共に購入したチケットを記憶・保存する携帯端末と、前記ネットワークに接続され、コンサートや催し物或いは列車や航空機などのチケットを販売するチケット販売センターサーバーと、前記ネットワークに接続され、前記携帯端末からの依頼により出発地点から目的地点までのルート検索及び当該ルートでの所要時間を算出する移動方法検索サービスサーバーと、から構成されるチケット販売システムにおけるチケット販売方法であって、
前記チケット販売センターサーバーは、前記携帯端末からのチケット購入要求に対して該当チケットに開催日時と開催場所の情報を付加して該当チケットを前記携帯端末に送信するステップを実行し、
前記携帯端末は、購入したチケットに付加されている開催日時と開催場所の情報から、該チケットに係わるイベントの開催時刻に間に合うように、アラーム発令を行うアラーム発動ステップと、前記携帯端末の現在位置から前記開催場所までのルート検索及び当該ルートでの所要時間の算出を、前記移動方法検索サービスサーバーに依頼するルート検索依頼ステップと、を実行することを特徴とする。
【００１９】
本発明の携帯端末は、移動体通信網を介してインターネットに接続し、前記インターネットに接続されるチケット販売センターサーバーからチケットを購入すると共に購入したチケットを記憶・保存する携帯端末であって、
前記携帯端末は、インターネットに接続して前記チケット販売センターサーバーからチケットを購入すると共に購入したチケットを記憶・保存するインターネット接続手段と、自携帯端末の現在位置の情報を取得する位置情報取得手段と、購入したチケットに付加されている開催日時と開催場所の情報から、該チケットに係わるイベントの開催時刻に間に合うように、アラーム発令を行うアラーム発動手段と、前記位置情報取得手段が取得した自携帯端末の現在位置から前記開催場所までのルート検索及び当該ルートでの所要時間を算出するルート検索手段と、を備えることを特徴とする。
【００２０】
また、前記アラーム発動手段は、予め定められた定期的時間になると前記ルート検索手段を起動して、前記位置情報取得手段が取得した自携帯端末の現在位置から前記開催場所までのルート検索及び当該ルートでの所要時間を算出させ、前記所要時間と現在時刻から前記開催時刻までの余裕時間を算出し、前記余裕時間が少ないと判断される場合に、アラーム音或いは振動などによりアラーム発令を行う、ことを特徴とする。
【００２１】
さらに、前記ルート検索手段は、前記位置情報取得手段から自携帯端末の現在位置の情報を取得し、前記現在位置から前記開催場所までのルートを別途備える地図情報データベースを検索して算出し、当該ルートでの所要時間を算出し、前記ルート検索手段が前記アラーム発動手段から起動されたものである場合には、前記所要時間と現在時刻から前記開催時刻までの余裕時間を算出し、前記余裕時間が少ないと判断される場合に、前記ルート及び前記所要時間を自携帯端末が別途備える表示装置に表示する、ことを特徴とする。
【００２２】
また、前記ルート検索手段は、自携帯端末が別途備える操作部からの指示によっても起動され、前記ルート検索手段が前記操作部からの指示によって起動された場合には、前記位置情報取得手段から自携帯端末の現在位置の情報を取得し、前記現在位置から前記開催場所までのルートを別途備える地図情報データベースを検索して算出し、当該ルートでの所要時間を算出し、前記ルート及び前記所要時間を自携帯端末が別途備える表示装置に表示する、ことを特徴とする。
【００２３】
さらに、移動体通信網を介してインターネットに接続し、前記インターネットに接続されるチケット販売センターサーバーからチケットを購入すると共に購入したチケットを記憶・保存する携帯端末であって、
前記携帯端末は、インターネットに接続して前記チケット販売センターサーバーからチケットを購入すると共に購入したチケットを記憶・保存するインターネット接続手段と、自携帯端末の現在位置の情報を取得する位置情報取得手段と、購入したチケットに付加されている開催日時と開催場所の情報から、該チケットに係わるイベントの開催時刻に間に合うように、アラーム発令を行うアラーム発動手段と、前記位置情報取得手段が取得した自携帯端末の現在位置から前記開催場所までのルート検索及び当該ルートでの所要時間の算出を、前記インターネットに接続される移動方法検索サービスサーバーに依頼するルート検索依頼手段と、を備えることを特徴とする。
【００２４】
本発明のプログラムは、移動体通信網を介してインターネットに接続し、前記インターネットに接続されるチケット販売センターサーバーからチケットを購入すると共に購入したチケットを記憶・保存する携帯端末のコンピュータに、
インターネットに接続して前記チケット販売センターサーバーからチケットを購入すると共に購入したチケットを記憶・保存するインターネット接続処理と、自携帯端末の現在位置の情報を取得する位置情報取得処理と、購入したチケットに付加されている開催日時と開催場所の情報から、該チケットに係わるイベントの開催時刻に間に合うように、アラーム発令を行うアラーム発動処理と、前記位置情報取得処理で取得した自携帯端末の現在位置から前記開催場所までのルート検索及び当該ルートでの所要時間を算出するルート検索処理と、を実行させることを特徴とする。
【００２５】
また、前記アラーム発動処理においては、予め定められた定期的時間になると前記ルート検索処理を起動して、前記位置情報取得処理で取得した自携帯端末の現在位置から前記開催場所までのルート検索及び当該ルートでの所要時間を算出させ、前記所要時間と現在時刻から前記開催時刻までの余裕時間を算出し、前記余裕時間が少ないと判断される場合に、アラーム音或いは振動などによりアラーム発令を行う処理を、実行させることを特徴とする。
【００２６】
さらに、前記ルート検索処理においては、前記位置情報取得処理で取得した自携帯端末の現在位置の情報を取得し、前記現在位置から前記開催場所までのルートを別途備える地図情報データベースを検索して算出し、当該ルートでの所要時間を算出し、前記ルート検索処理が前記アラーム発動処理から起動されたものである場合には、前記所要時間と現在時刻から前記開催時刻までの余裕時間を算出し、前記余裕時間が少ないと判断される場合に、前記ルート及び前記所要時間を自携帯端末が別途備える表示装置に表示する処理を、実行させることを特徴とする。
【００２７】
また、前記ルート検索処理は、自携帯端末が別途備える操作部からの指示によっても起動され、前記ルート検索処理が前記操作部からの指示によって起動された場合には、前記位置情報取得処理で取得した自携帯端末の現在位置の情報を取得し、前記現在位置から前記開催場所までのルートを別途備える地図情報データベースを検索して算出し、当該ルートでの所要時間を算出し、前記ルート及び前記所要時間を自携帯端末が別途備える表示装置に表示する処理を、実行させることを特徴とする。
【００２８】
さらに、移動体通信網を介してインターネットに接続し、前記インターネットに接続されるチケット販売センターサーバーからチケットを購入すると共に購入したチケットを記憶・保存する携帯端末のコンピュータに、
インターネットに接続して前記チケット販売センターサーバーからチケットを購入すると共に購入したチケットを記憶・保存するインターネット接続処理と、自携帯端末の現在位置の情報を取得する位置情報取得処理と、購入したチケットに付加されている開催日時と開催場所の情報から、該チケットに係わるイベントの開催時刻に間に合うように、アラーム発令を行うアラーム発動処理と、前記位置情報取得処理で取得した自携帯端末の現在位置から前記開催場所までのルート検索及び当該ルートでの所要時間の算出を、前記インターネットに接続される移動方法検索サービスサーバーに依頼するルート検索依頼処理と、を実行させることを特徴とする。
【発明の効果】
【００２９】
本発明のチケット販売システムとその方法及びそれに用いる携帯端末とそのプログラムは、携帯端末からチケット販売センターサーバーに接続してチケットを購入すると、開催日時と開催場所の付加されたチケットが携帯端末内に記憶・保持され、その後、携帯端末の現在位置からチケットに係わるイベントの開催場所までの移動ルートが、携帯端末で自動的に表示されるようになり、また、チケットに係わるイベントの開催日時に間に合わなくなるような場合には、チケットの所有者にアラームを上げて知らせることができるので、チケットに係わるイベントの開催時刻に間に合うように、携帯端末所有者のスケジュール管理を行うことが可能となると共に、携帯端末の現在位置情報から開催場所までのルート案内を行うことが可能となる、という効果を有している。
【発明を実施するための最良の形態】
【００３０】
次に、本発明の実施の形態について図面を参照して説明する。
【００３１】
図１は、本発明のチケット販売システムの一実施形態を示すブロック図である。
【００３２】
図１に示す本実施の形態は、移動体通信機能やインターネット接続機能を備え、インターネットに接続してチケットを購入し、購入したチケットを記憶・保存する携帯端末１と、コンサートや催し物或いは列車や航空機などのチケットを販売するチケット販売センターサーバー２と、携帯端末１とチケット販売センターサーバー２とを相互に通信接続する移動体通信網やインターネットなどから構成されるネットワーク３と、から構成されている。
【００３３】
携帯端末１は、携帯電話やＰＨＳ端末或いはＰＤＡなどから構成される端末装置であり、インターネットに接続してチケットを購入し、購入したチケットを記憶・保存する。そして、該チケットに付加されている開催日時と開催場所の情報から、該チケットに係わるイベントの開催時刻に間に合うように、携帯端末１の所有者のスケジュール管理を行うと共に、携帯端末１の現在位置情報から該チケットに係わるイベントの開催場所までのルート案内を行う機能を備えている。
【００３４】
チケット販売センターサーバー２は、ワークステーション・サーバー等の情報処理装置によって構成され、インターネットを介して携帯端末１から購入要求のあったチケットを販売し、該チケットを携帯端末１に送信する。チケットには、該チケットに係わるイベントの開催日時と開催場所の情報が付加されている。チケットの構成例について、図２を参照して説明する。
【００３５】
図２は、チケットの構成の一例を示す図である。
【００３６】
図２において、チケット２０は、イベントの名称や出演者などを示すチケット本体のデータ２１と、該当イベントの開催日時を示す付加情報（開催日時）２２と、該当イベントの開催場所の住所や最寄駅などを示す付加情報（開催場所）２３と、から構成されている。
【００３７】
次に、図３を参照して、本発明の携帯端末１の構成について説明する。
【００３８】
図３は、本発明の携帯端末の一例を示す詳細ブロック図である。
【００３９】
図３において、携帯端末１は、移動体通信網と通信接続するための無線電波の送受信を行うアンテナ１１と、移動体通信網を介してインターネットに接続し、チケット販売センターサーバー２からチケットを購入するインターネット接続手段１２と、自己の携帯端末１の現在位置情報を取得する位置情報取得手段１３と、自携帯端末１の現在位置情報から、購入したチケットに係わるイベントの開催場所までの移動ルートの検索と所要時間の算出を行うルート検索手段１４と、購入したチケットに係わるイベントの開催時刻に間に合うように、携帯端末１の所有者のスケジュール管理を行うアラーム発動手段１５と、携帯端末１の全体の制御を行う制御部１６と、購入したチケットを記憶・保存すると共に、上述した各手段（１２、１３、１４、１５）を実行するためのソフトウェアプログラムを記憶・保持する記憶部１７とから構成されている。
【００４０】
制御部１６は、ＣＰＵ（Central Processing Unit ：中央処理装置）を備え、記憶部１７に記憶・保持されているソフトウェアプログラムを実行する事により、上述した各手段（１２、１３、１４、１５）の機能を実現するよう構成されている。
【００４１】
インターネット接続手段１２は、移動体通信網からインターネットを介してチケット販売センターサーバー２に接続してチケットを購入し、購入したチケットをその付加情報（開催日時、開催場所）と共に記憶部１７に記憶・保持させる。
【００４２】
位置情報取得手段１３は、ＧＰＳ（Global Positioning System ：全地球測位システム）機能を備え、携帯端末１の現在位置の情報を取得する機能を備えている。
【００４３】
ルート検索手段１４は、携帯端末１の現在位置情報と、購入したチケットに付加されている開催場所の情報から、現在位置から開催場所までの移動ルートを検索して算出すると共に、該移動ルートでの所要時間を算出する機能を備えている。ルート検索手段１４の機能を実現するソフトウェアプログラムを、本実施形態においてはルート検索プログラムと称することとする。
【００４４】
アラーム発動手段１５は、購入したチケットに付加されている開催日時の情報から、該チケットに係わるイベントの開催時刻に間に合うように、携帯端末１の所有者のスケジュール管理を行い、アラームを発動する機能を備えている。アラーム発動手段１５の機能を実現するソフトウェアプログラムを、本実施形態においてはアラームプログラムと称することとする。
【００４５】
次に、図４、図５、図６を参照して、図１〜３に示した本実施形態の動作について説明する。
【００４６】
図４は、チケット購入時の携帯端末の動作を説明するフローチャートである。
【００４７】
携帯端末１の所有者であるユーザーは、携帯端末１のインターネット接続手段１２を使用して、チケット販売センターサーバー２に接続してチケットを購入する（図４のステップＳ１）。チケット販売センターサーバー２は、携帯端末１に対して、開催日時と開催場所の情報を付加したチケット（図２のチケット２０）を送信する。チケットを受信した携帯端末１は（図４のステップＳ２）、該チケットを記憶部１７に記憶・保存すると共に、該チケットに付加されている開催日時と開催場所の情報を取得する（図４のステップＳ３）。
【００４８】
このとき、携帯端末１は、アラーム発動手段１５を起動してよいか、すなわち、アラームプログラムを起動してよいかについて、携帯端末１のユーザーに確認する（図４のステップＳ４）。
【００４９】
携帯端末１のユーザーが、アラームプログラムの起動を選択した場合には（ステップＳ４でＹＥＳ）、携帯端末１は、購入したチケットから取得した開催日時を、アラームプログラムの終了時刻として設定する。すなわち、アラームプログラムは、開催日時を過ぎてしまうと動作を終了するようになる。また、携帯端末１は、アラームプログラムの起動時刻を設定する（図４のステップＳ５）。アラームプログラムの起動時刻は、例えば、開催日時の２４時間前といった時刻として設定する。
【００５０】
アラームプログラムの起動を選択しなかった場合には（ステップＳ４でＮＯ）、ステップＳ６に進む。
【００５１】
また、ルート検索手段１４、すなわち、ルート検索プログラムをいつでも起動できるようにするため、ルート検索プログラムに購入したチケットから取得した開催場所を入力し設定しておく（図４のステップＳ６）。そして、携帯端末１はチケット購入時の動作を終了する。
【００５２】
図５は、携帯端末のアラームプログラムの動作を説明するフローチャートである。
【００５３】
携帯端末１のアラームプログラムは、購入したチケットの開催日時の２４時間前など、予め決められた時間になると（図４のステップＳ５で設定した起動時刻になると）、自動的に起動する（図５のステップＳ１１）。そして、予め定められた定期的間隔（例えば、３０分ごと）に達したか否かを判定する（図５のステップＳ１２）。
【００５４】
予め定められた定期的間隔でない場合には（ステップＳ１２でＮＯ）、ステップＳ１６に進む。予め定められた定期的間隔になると（ステップＳ１２でＹＥＳ）、ルート検索手段１４、すなわち、ルート検索プログラムを起動させる（図５のステップＳ１３）。ルート検索プログラムの動作については図６により後述するが、ルート検索プログラムは、携帯端末１の現在位置から（購入したチケットの）開催場所までの移動ルートを検索して算出すると共に、該移動ルートでの所要時間を算出するようになっている。そこで、アラームプログラムは、ルート検索プログラムが算出した所要時間を使用して、
現在時刻＋所要時間＋α（余裕時間とし、例えば１時間などである）の値を演算し、この値が、（購入したチケットの）開催日時（すなわち、チケットに係わるイベントの開始時間）よりも大きいか否かを判定する（図５のステップＳ１４）。
【００５５】
開催日時よりも大きい場合には（ステップＳ１４でＹＥＳ）、
現在時刻＋所要時間＋α＞開始時間、であり、携帯端末１の現在位置から出発して開始時間にぎりぎり間に合う時間になっているため、携帯端末１のユーザーに対して、開催場所に向けて出発すべきであることを通知するため、携帯端末１のアラーム音或いは振動などにより、アラームを発令する（図５のステップＳ１５）。
【００５６】
開催日時よりも小さい場合には（ステップＳ１４でＮＯ）、開始時間までには未だ十分余裕があるためアラーム発令は行わず、ステップＳ１６に進む。
【００５７】
ステップＳ１６では、アラームプログラムの終了時刻（図４のステップＳ５で設定した終了時刻（購入したチケットの開催日時））になったかを判定し、終了時刻になっていなければ（ステップＳ１６でＮＯ）、ステップＳ１２に戻って上述した動作を繰り返し実行し、終了時刻を過ぎている場合には（ステップＳ１６でＹＥＳ）、アラームプログラムの処理を終了する（図５のステップＳ１７）。
【００５８】
図６は、携帯端末のルート検索プログラムの動作を説明するフローチャートである。
【００５９】
携帯端末１のルート検索手段１４、すなわち、ルート検索プログラムは、携帯端末１のユーザーが携帯端末１の操作部を操作する事により起動させる事が可能であり、また、携帯端末１のアラームプログラムからの呼び出しによって起動される場合もある。
【００６０】
ルート検索プログラムが起動されると（図６のステップＳ２１）、位置情報取得手段１３を起動し、携帯端末１の現在位置を取得する（図６のステップＳ２２）。そして、開催場所（図４のステップＳ６で入力された開催場所）を選択し（図６のステップＳ２３）、ステップＳ２２で取得した現在位置から、ステップＳ２３で選択した開催場所へ行くための移動ルートを、別途備える地図情報データベースなどを検索して算出すると共に（図６のステップＳ２４）、当該移動ルートでの所要時間を計算する（図６のステップＳ２５）。そして、ルート検索プログラムが、アラームプログラムからの呼び出しで起動されたものか、或いは、ユーザーの操作により起動されたものか、の判定を行う（図６のステップＳ２６）。
【００６１】
アラームプログラムからの呼び出しで起動されたものである場合は（ステップＳ２６でＹＥＳ）、ステップＳ２５で計算した所要時間を使用して、
現在時刻＋所要時間＋α（余裕時間とし、例えば１時間などである）の値を演算し、この値が、開催日時（すなわち、チケットに係わるイベントの開始時間）よりも大きいか否かを判定する（図６のステップＳ２７）。
【００６２】
開催日時よりも大きい場合には（ステップＳ２７でＹＥＳ）、
現在時刻＋所要時間＋α＞開始時間、であり、携帯端末１の現在位置から出発して開始時間にぎりぎり間に合う時間になっているため、携帯端末１のユーザーに対して、携帯端末１の備える表示装置などに移動ルート及び所要時間を表示して（図６のステップＳ２８）、ユーザーの注意を喚起する。開催日時よりも小さい場合には（ステップＳ２７でＮＯ）、開始時間までには未だ十分余裕があるため、注意喚起は行わず、処理を終了する（図６のステップＳ２９）。
【００６３】
アラームプログラムからの呼び出しでなくユーザーの操作により起動されたものである場合は（ステップＳ２６でＮＯ）、ステップＳ２８で、移動ルート及び所要時間を表示してから、処理を終了する（図６のステップＳ２９）。
【００６４】
以上説明したように、本実施形態によれば、携帯端末１の所有者がチケット販売センターサーバー２に接続してチケットを購入すると、開催日時と開催場所の付加されたチケットが携帯端末１内に記憶・保持され、その後、携帯端末１の現在位置からチケットに係わるイベントの開催場所までの移動ルートが、携帯端末１で自動的に表示されるようになる。また、チケットに係わるイベントの開催日時に間に合わなくなるような場合には、チケットの所有者にアラームを上げて知らせることが可能となる。
【００６５】
これは、ペーパーレスでチケット販売を行うことにより、チケットの購入者側は、いつでも、どこからでも、チケットを購入することが可能となると共に、購入者側には非常に便利な方法であるため、携帯端末を利用したチケット購入の普及にも役立つ、ということができる。
【００６６】
次に、図７〜図１１を参照して、本発明の第２の実施形態について説明する。
【００６７】
図７は、本発明のチケット販売システムの第２の実施形態を示すブロック図である。
【００６８】
図７に示すチケット販売システムの第２の実施形態は、第１の実施形態において、携帯端末１が備えていたルート検索手段１４（すなわち、ルート検索プログラム）の機能を、ネットワーク３に接続された移動方法検索サービスサーバー４に行わせるようにした点でのみ、第１の実施形態と異なるものである。従って、図７〜図１１において図１、図３〜図６に示す構成要素に対応するものは同一の参照数字または符号を付し、その説明を省略するものとする。
【００６９】
図７に示す第２の実施形態は、移動体通信機能やインターネット接続機能を備え、インターネットに接続してチケットを購入し、購入したチケットを記憶・保存する携帯端末１−１と、コンサートや催し物或いは列車や航空機などのチケットを販売するチケット販売センターサーバー２と、携帯端末１−１からの検索依頼によって、携帯端末１−１の現在位置からチケットに係わるイベントの開催場所までの移動ルートと所要時間を演算する移動方法検索サービスサーバー４と、携帯端末１−１とチケット販売センターサーバー２と移動方法検索サービスサーバー４を相互に通信接続する移動体通信網やインターネットなどから構成されるネットワーク３と、から構成されている。
【００７０】
携帯端末１−１は、第１の実施形態の携帯端末１とほぼ同様の機能を備える端末装置であるが、携帯端末１−１の現在位置情報から購入したチケットに係わるイベントの開催場所までの移動ルート及び所要時間の演算は、移動方法検索サービスサーバー４に依頼するようになっている。
【００７１】
チケット販売センターサーバー２は、第１の実施形態と同一であり、かつ、チケット販売センターサーバー２が販売するチケットの構成も、第１の実施形態で示した図２の構成と全く同一である。
【００７２】
移動方法検索サービスサーバー４は、ワークステーション・サーバー等の情報処理装置によって構成され、インターネットを介した携帯端末１−１からの検索依頼によって、携帯端末１−１の現在位置からチケットに係わるイベントの開催場所までの移動ルートと所要時間を、自らの備える地図情報データベースなどを検索して演算し、移動ルートと所要時間を携帯端末１−１に返送する。
【００７３】
次に、図８を参照して、第２の実施形態の携帯端末１−１の構成について説明する。
【００７４】
図８は、本発明の第２の実施形態の携帯端末の一例を示す詳細ブロック図である。
【００７５】
図８において、携帯端末１−１は、第１の実施形態の携帯端末１とほぼ同様の構成であるが、自携帯端末１−１の現在位置情報から、購入したチケットに係わるイベントの開催場所までの移動ルートの検索と所要時間の算出を、移動方法検索サービスサーバー４に依頼するルート検索依頼手段１４−１を、第１の実施形態のルート検索手段１４に代えて備える点でのみ、第１の実施形態と異なるものである。
【００７６】
ルート検索依頼手段１４−１は、携帯端末１−１の現在位置情報と、購入したチケットに付加されている開催場所の情報から、現在位置から開催場所までの移動ルート及びその所要時間の演算を、移動方法検索サービスサーバー４に依頼する機能を備えている。ルート検索依頼手段１４−１の機能を実現するソフトウェアプログラムを、第２の実施形態においてはルート検索依頼プログラムと称することとする。
【００７７】
次に、図９、図１０、図１１を参照して、図７、図８に示した第２の実施形態の動作について説明する。
【００７８】
図９は、第２の実施形態におけるチケット購入時の携帯端末の動作を説明するフローチャートである。
【００７９】
携帯端末１−１の所有者であるユーザーが、携帯端末１−１のインターネット接続手段１２を使用して、チケット販売センターサーバー２に接続してチケットを購入する（図９のステップＳ１）ステップから、図９のステップＳ５までの動作は、図４に示した第１の実施形態の動作と同一であるため、これ以上の説明は省略する。
【００８０】
図９のステップＳ５の動作の後、ルート検索依頼手段１４−１、すなわち、ルート検索依頼プログラムをいつでも起動できるようにするため、ルート検索依頼プログラムに、購入したチケットから取得した開催場所を入力し設定しておく（図９のステップＳ６−１）。そして、携帯端末１−１はチケット購入時の動作を終了する。
【００８１】
図１０は、第２の実施形態における携帯端末のアラームプログラムの動作を説明するフローチャートである。
【００８２】
携帯端末１−１のアラームプログラムは、購入したチケットの開催日時の２４時間前など、予め決められた時間になると（図９のステップＳ５で設定した起動時刻になると）、自動的に起動する（図１０のステップＳ１１）。そして、予め定められた定期的間隔（例えば、３０分ごと）に達したか否かを判定する（図１０のステップＳ１２）。
【００８３】
予め定められた定期的間隔でない場合には（ステップＳ１２でＮＯ）、ステップＳ１６に進む。予め定められた定期的間隔になると（ステップＳ１２でＹＥＳ）、ルート検索依頼手段１４−１、すなわち、ルート検索依頼プログラムを起動させる（図１０のステップＳ１３−１）。ルート検索依頼プログラムの動作については図１１により後述するが、ルート検索依頼プログラムは、携帯端末１−１の現在位置から（購入したチケットの）開催場所までの移動ルートの検索と所要時間の算出を、移動方法検索サービスサーバー４に依頼し、移動ルート及び該移動ルートでの所要時間を受信するようになっている。そこで、アラームプログラムは、ルート検索依頼プログラムが受信した所要時間を使用して、
現在時刻＋所要時間＋α（余裕時間とし、例えば１時間などである）の値を演算し、この値が、（購入したチケットの）開催日時（すなわち、チケットに係わるイベントの開始時間）よりも大きいか否かを判定する（図１０のステップＳ１４）。そして、ステップＳ１４以降においては、図５に示した第１の実施形態と同一の動作を行い、必要であれば、図１０のステップＳ１５に示すように、アラーム発令を行って、アラームプログラムの処理を終了する（図１０のステップＳ１７）。
【００８４】
図１１は、第２の実施形態における携帯端末のルート検索依頼プログラムの動作を説明するフローチャートである。
【００８５】
携帯端末１−１のルート検索依頼手段１４−１、すなわち、ルート検索依頼プログラムは、携帯端末１−１のユーザーが携帯端末１−１の操作部を操作する事により起動させる事が可能であり、また、携帯端末１−１のアラームプログラムからの呼び出しによって起動される場合もある。
【００８６】
ルート検索依頼プログラムが起動されると（図１１のステップＳ２１−１）、位置情報取得手段１３を起動し、携帯端末１−１の現在位置を取得する（図１１のステップＳ２２）。そして、開催場所（図９のステップＳ６−１で入力された開催場所）を選択し（図１１のステップＳ２３）、ステップＳ２２で取得した現在位置と、ステップＳ２３で選択した開催場所の情報を、移動方法検索サービスサーバー４に送信する（図１１のステップＳ２４−１）。
【００８７】
次に、移動方法検索サービスサーバー４から、移動ルート及びその移動ルートでの所要時間を受信する（図１１のステップＳ２５−１）。そして、ルート検索依頼プログラムが、アラームプログラムからの呼び出しで起動されたものか、或いは、ユーザーの操作により起動されたものか、の判定を行う（図１１のステップＳ２６）。
【００８８】
アラームプログラムからの呼び出しで起動されたものである場合は（ステップＳ２６でＹＥＳ）、ステップＳ２５−１で受信した所要時間を使用して、
現在時刻＋所要時間＋α（余裕時間とし、例えば１時間などである）の値を演算し、この値が、開催日時（すなわち、チケットに係わるイベントの開始時間）よりも大きいか否かを判定する（図１１のステップＳ２７）。
【００８９】
開催日時よりも大きい場合には（ステップＳ２７でＹＥＳ）、
現在時刻＋所要時間＋α＞開始時間、であり、携帯端末１−１の現在位置から出発して開始時間にぎりぎり間に合う時間になっているため、携帯端末１−１のユーザーに対して、携帯端末１−１の備える表示装置などに移動ルート及び所要時間を表示して（図１１のステップＳ２８）、ユーザーの注意を喚起する。開催日時よりも小さい場合には（ステップＳ２７でＮＯ）、開始時間までには未だ十分余裕があるため、注意喚起は行わず、処理を終了する（図１１のステップＳ２９−１）。
【００９０】
アラームプログラムからの呼び出しでなくユーザーの操作により起動されたものである場合は（ステップＳ２６でＮＯ）、ステップＳ２８で、移動ルート及び所要時間を表示してから、処理を終了する（図１１のステップＳ２９−１）。
【００９１】
以上説明したように、第２の実施形態によれば、携帯端末１−１の所有者がチケット販売センターサーバー２に接続してチケットを購入すると、開催日時と開催場所の付加されたチケットが携帯端末１−１内に記憶・保持され、その後、携帯端末１−１の現在位置からチケットに係わるイベントの開催場所までの移動ルートが、移動方法検索サービスサーバー４によって演算され、該移動ルートが携帯端末１−１で自動的に表示されるようになる。また、チケットに係わるイベントの開催日時に間に合わなくなるような場合には、チケットの所有者にアラームを上げて知らせることが可能となる。
【００９２】
なお、上述した実施の形態においては、チケットの種類がコンサートや催し物などのイベントに係わるものであるとして説明したが、チケットの種類を、列車や航空機などの搭乗チケットであるものとして置き換えることが可能である。
【００９３】
チケットの種類を、列車や航空機などの搭乗チケットとする場合には、上述した実施の形態の図２で説明したチケットの構成を、チケット本体のデータ２１の付加情報として、付加情報（搭乗日時（列車や航空機の出発日時））２２−１と、付加情報（搭乗場所（駅名あるいは空港名）２３−１を付加し、上述の実施の形態で用いていた開催日時を搭乗日時に、また、開催場所を搭乗場所に、読み替えればよい。
【図面の簡単な説明】
【００９４】
【図１】本発明のチケット販売システムの一実施形態を示すブロック図である。
【図２】チケットの構成の一例を示す図である。
【図３】本発明の携帯端末の一例を示す詳細ブロック図である。
【図４】チケット購入時の携帯端末の動作を説明するフローチャートである。
【図５】携帯端末のアラームプログラムの動作を説明するフローチャートである。
【図６】携帯端末のルート検索プログラムの動作を説明するフローチャートである。
【図７】本発明のチケット販売システムの第２の実施形態を示すブロック図である。
【図８】本発明の第２の実施形態の携帯端末の一例を示す詳細ブロック図である。
【図９】第２の実施形態におけるチケット購入時の携帯端末の動作を説明するフローチャートである。
【図１０】第２の実施形態における携帯端末のアラームプログラムの動作を説明するフローチャートである。
【図１１】第２の実施形態における携帯端末のルート検索依頼プログラムの動作を説明するフローチャートである。
【符号の説明】
【００９５】
１    携帯端末
１−１    携帯端末
１１    アンテナ
１２    インターネット接続手段
１３    位置情報取得手段
１４    ルート検索手段
１４−１    ルート検索依頼手段
１５    アラーム発動手段
１６    制御部
１７    記憶部
２    チケット販売センターサーバー
３    ネットワーク
４    移動方法検索サービスサーバー
【図１】
2005056166.tif 000003
【図２】
2005056166.tif 000004
【図３】
2005056166.tif 000005
【図４】
2005056166.tif 000006
【図５】
2005056166.tif 000007
【図６】
2005056166.tif 000008
【図７】
2005056166.tif 000009
【図８】
2005056166.tif 000010
【図９】
2005056166.tif 000011
【図１０】
2005056166.tif 000012
【図１１】
2005056166.tif 000013